(57)【要約】【課題】  従来の庇にはない種々の便利な機能を、庇に大幅な改造を施すことなく発揮させることができるようにした、構造簡単で低コストの庇付き建物を提供する。【解決手段】  開口部Ｏを有する外壁に、その開口部Ｏの上側で外側方に張出す庇Ｈを突設した庇付き建物において、庇Ｈの下面に上部レールＲｕを装着して、この上部レールＲｕに、前記開口部Ｏの少なくとも一部をその外側から覆うカバー部材Ｃの上端部を該レールＲｕに沿って移動可能に支持させる。【選択図】    図１
2007113287.tif 000002
【特許請求の範囲】
【請求項１】
開口部（Ｏ，Ｏ′，Ｏ″）を有する外壁に、その開口部（Ｏ，Ｏ′，Ｏ″）の上側で外側方に張出す庇（Ｈ，Ｈ′，Ｈ″）を突設した庇付き建物において、
前記庇（Ｈ，Ｈ′，Ｈ″）の下面に上部レール（Ｒｕ，Ｒｕ′）を装着して、この上部レール（Ｒｕ，Ｒｕ′，Ｒｕ″）に、前記開口部（Ｏ，Ｏ′，Ｏ″）の少なくとも一部をその外側から覆うカバー部材（Ｃ，Ｃ′，Ｃａ″，Ｃｂ″）の上端部を該レール（Ｒｕ，Ｒｕ′，Ｒｕ″）に沿って移動可能に支持させることを特徴とする、庇付き建物。
【請求項２】
開口部（Ｏ，Ｏ′）を有する外壁に、その開口部（Ｏ，Ｏ′）の上側で外側方に張出す庇（Ｈ）を突設した庇付き建物において、
前記庇（Ｈ，Ｈ′）の下面に上部レール（Ｒｕ，Ｒｕ′）を装着する一方、その庇（Ｈ，Ｈ′）の下面に対向して建物に設けられる張出部（Ｆ，Ｐ）の上面には、前記上部レール（Ｒｕ，Ｒｕ′）に対応する下部レール（Ｒｌ，Ｒｌ′）を装着し、それら上部レール（Ｒｕ，Ｒｕ′）及び下部レール（Ｒｌ，Ｒｌ′）に、前記開口部（Ｏ，Ｏ′）の少なくとも一部をその外側から覆うカバー部材（Ｃ，Ｃ′）の上端部及び下端部を該レール（Ｒｕ，Ｒｌ，Ｒｕ′，Ｒｌ′）に沿って移動可能にそれぞれ支持させることを特徴とする、庇付き建物。
【請求項３】
前記カバー部材は、展開状態では前記庇（Ｈ，Ｈ′）と張出部（Ｆ，Ｐ）との間の空間を外部より遮蔽可能な折り畳み式の縦型シャッター（Ｃ，Ｃ′）であり、この縦型シャッター（Ｃ，Ｃ′）は、前記開口部（Ｏ，Ｏ′）の左右少なくとも一方側の側縁部に沿設した収納ケース（４）内に折り畳んで格納可能であることを特徴とする、請求項２に記載の庇付き建物。
【請求項４】
前記開口部は、建物の窓（Ｏ）であり、庇（Ｈ）の下面に対向して建物に設けられる張出部（Ｆ）の上面には、前記カバー部材（Ｃ）の下端部を移動可能に支持し得る下部レール（Ｒｌ）が前記上部レール（Ｒｕ）に対応して装着され、この下部レール（Ｒｌ）は、上面が開放された概ねチャンネル状に形成されていて窓用のフラワーボックスとして使用可能であることを特徴とする、請求項１に記載の庇付き建物。
【請求項５】
前記カバー部材は、前記上部レール（Ｒｕ″）より垂下する広告用の垂れ幕（Ｃａ″）又は看板（Ｃｂ″）であることを特徴とする、請求項１に記載の庇付き建物。
【請求項６】
前記庇（Ｈ″）の下面には複数条の上部レール（Ｒｕ″，Ｒｕａ）が装着され、その一部の上部レール（Ｒｕ″）に前記カバー部材（Ｃａ″，Ｃｂ″）の上端部が支持される一方、その他の上部レール（Ｒｕａ）に照明器具（Ｌ）が着脱可能に取付けられることを特徴とする、請求項１〜５の何れかに記載の庇付き建物。
【発明の詳細な説明】
【技術分野】
【０００１】
本発明は、開口部（例えば建物の窓、出入口等）を有する外壁に、その開口部の上側で外側方に張出す庇を突設した庇付き建物に関する。
【背景技術】
【０００２】
従来の建物において、その窓や出入口の上部に設けられる庇は、日除けや雨除けのために利用されるに留まり、そのため、単なる板状の物が庇として取付けられているだけの建物が多かった。
【０００３】
また、近年では、窓や出入口を開閉する巻き取り式横型シャッターの格納手段として庇を利用するものが製品化されている（例えば、下記の特許文献１を参照）
【特許文献１】特開平８−３０３１４８号公報
【発明の開示】
【発明が解決しようとする課題】
【０００４】
上記従来の建物における庇は、単に日除けや雨除けの機能を果たすに過ぎず、そのため窓や出入口の上部に板状の物を取付けているだけであって、陽射しの入光調整機能や目隠し機能、その他の機能を果たすことはできなかった。
【０００５】
また前記特許文献１に示されるシャッター格納手段を兼ねる庇は、構造が複雑で高価である上、既存の建物には取付けが困難である等の問題があった。
【０００６】
本発明は上記に鑑みてなされたもので、従来の庇にはない種々の便利な機能を発揮させることができ、しかも構造簡単で低コストの庇付き建物を提供することを目的とする。
【課題を解決するための手段】
【０００７】
上記目的を達成するために、請求項１の発明は、開口部を有する外壁に、その開口部の上側で外側方に張出す庇を突設した庇付き建物において、前記庇の下面に上部レールを装着して、この上部レールに、前記開口部の少なくとも一部をその外側から覆うカバー部材の上端部を該レールに沿って移動可能に支持させることを特徴としており、また、請求項２の発明は、開口部を有する外壁に、その開口部の上側で外側方に張出す庇を突設した庇付き建物において、前記庇の下面に上部レールを装着する一方、その庇の下面に対向して建物に設けられる張出部の上面には、前記上部レールに対応する下部レールを装着し、それら上部レール及び下部レールに、前記開口部の少なくとも一部をその外側から覆うカバー部材の上端部及び下端部を該レールに沿って移動可能にそれぞれ支持させることを特徴とする。
【０００８】
また請求項３の発明は、請求項２の前記構成に加えて、前記カバー部材が、展開状態では前記庇と張出部との間の空間を外部より遮蔽可能な折り畳み式の縦型シャッターであり、この縦型シャッターが、前記開口部の左右少なくとも一方側の側縁部に沿設した収納ケース内に折り畳んで格納可能であることを特徴とする。
【０００９】
また請求項４の発明は、請求項１の前記構成に加えて、前記開口部は、建物の窓であり、庇の下面に対向して建物に設けられる張出部の上面には、前記カバー部材の下端部を移動可能に支持し得る下部レールが前記上部レールに対応して装着され、この下部レールは、上面が開放された概ねチャンネル状に形成されていて窓用のフラワーボックスとして使用可能であることを特徴とする。
【００１０】
また請求項５の発明は、請求項１の前記構成に加えて、前記カバー部材が、前記上部レールより垂下する広告用の垂れ幕又は看板であることを特徴とする。
【００１１】
さらに請求項６の発明は、請求項１〜５の何れかの前記構成に加えて、前記庇の下面には複数条の上部レールが装着され、その一部の上部レールに前記カバー部材の上端部が支持される一方、その他の上部レールに照明器具が着脱可能に取付けられることを特徴とする。
【発明の効果】
【００１２】
以上のように本発明によれば、庇の下面に上部レールを装着して、この上部レールに、建物の開口部の少なくとも一部をその外側から覆うカバー部材の上端部を支持させるので、そのカバー部材をレールに沿って適宜移動させることで、該カバー部材に陽射しの入光調整機能や目隠し機能を発揮させることが可能となって便利である。しかも庇には、その下面に上部レールを装着するだけで済み、庇自体を大幅に改造する必要がないことから、既存の庇にも容易に且つ低コストで適用可能であって、汎用性が高い。
【００１３】
また特に請求項２の発明によれば、庇の下面に対向して建物に設けられる張出部の上面に、上部レールに対応する下部レールを装着して、その下部レールに、カバー部材の下端部を支持させるので、カバー部材が両持ち支持構造となって、その支持を安定させることができる。
【００１４】
また特に請求項３の発明によれば、カバー部材が、展開状態では庇直下の空間を外部より遮蔽可能な折り畳み式の縦型シャッターであり、この縦型シャッターが、建物開口部の左右少なくとも一方側の側縁部に沿設した収納ケース内に折り畳んで格納可能であるので、庇直下の空間を遮蔽するシャッターを、庇自体に大幅な改造を施すことなく容易に設置可能となり、既存の庇にも容易に適用可能である。
【００１５】
また特に請求項４の発明によれば、窓用の庇の下面に対向して建物に設けられる張出部の上面に、カバー部材の下端部を移動可能に支持し得る下部レールが上部レールに対応して装着され、この下部レールは、上面が開放された概ねチャンネル状に形成されていて窓用のフラワーボックスとして使用可能であるので、その下部レールをカバー部材の支持手段と、窓用フラワーボックスとに選択的に使用可能となって、便利である。
【００１６】
また特に請求項５の発明によれば、前記カバー部材が、上部レールより垂下する広告用の垂れ幕又は看板であるので、該カバー部材を、建物外の通行人に対する広告や案内手段として利用でき、特に庇が商店等の店頭に付いている場合に有効である。
【００１７】
また特に請求項６の発明によれば、庇の下面には複数条の上部レールが装着され、その一部の上部レールに前記カバー部材の上端部が支持される一方、その他の上部レールに照明器具が着脱可能に取付けられるので、庇の下面に照明器具を容易に且つ位置調節可能に取付けることが可能となる。
【発明を実施するための最良の形態】
【００１８】
本発明の実施の形態を、添付図面に例示した本発明の実施例に基づいて以下に具体的に説明する。
【００１９】
添付図面において、図１〜図３は、本発明を窓の庇に実施した第１実施例を示すものであって、図１は全体斜視図、図２は、要部縦断面図（図１の２−２線拡大断面図）、図３は、図２の３−３線断面図である。また図４は、本発明を玄関の庇に実施した第２実施例を示す全体斜視図であり、さらに図５は、本発明を商店の入口の庇に実施した第３実施例を示す全体斜視図、図６は、図５の６−６線拡大断面図である。
【００２０】
先ず、第１実施例を示す図１〜図３において、建物の外壁Ｗには、開口部としての窓Ｏが設けられ、この窓Ｏは、引き戸式のガラス付きアルミサッシ１により開閉可能である。その外壁Ｗには、窓Ｏの上側で外側方に張出す横長矩形状の庇Ｈが、また同窓Ｏの下側で外側方に張出す半円弧状の張出部Ｆが一体的に突設される。
【００２１】
この庇Ｈの下面には、半円弧状に延びる上部レールＲｕがビス等の固着手段を以て着脱可能に装着され、またその庇Ｈの下面に対向して前記張出部Ｆの上面には、上部レールＲｕに対応して半円弧状に延びる下部レールＲｌがビス等の固着手段を以て着脱可能に装着される。
【００２２】
上，下部レールＲｕ，Ｒｌは何れも、横断面矩形状の金属製又は合成樹脂製枠体より構成され、上部レールＲｕを構成する枠体の下壁には、該レールＲｕの長手方向に延びるスリット２ｕが形成され、また下部レールＲｌを構成する枠体の上壁には、該レールＲｌの長手方向に延びるスリット２ｌが形成される。
【００２３】
そしてその上部レールＲｕには、窓Ｏの少なくとも一部をその外側から覆うカバー部材としての縦型シャッタＣの上端部が、また下部レールＲｌには、同シャッタＣの下端部が、該レールＲｕ，Ｒｌに沿って移動可能に支持される。この縦型シャッタＣは、展開状態では庇Ｈと張出部Ｆとの間の空間を外部より遮蔽可能な折り畳み式の構造であって、図示例では左右一対の可動シャッター要素Ｃｅ，Ｃｅより分割構成され、これら可動シャッター要素Ｃｅ，Ｃｅは、窓Ｏの左右両側縁部にそれぞれ沿設した収納ケース４内に折り畳んで各々格納可能である。尚、このような縦型シャッタＣ自体の構造は、従来一般の建物の開口部や物置の開口部を開閉する周知の縦型シャッターと同様である。
【００２４】
そして、この縦型シャッターＣの可動シャッター要素Ｃｅ，Ｃｅの上縁及び下縁の適所には、上，下部レールＲｕ，Ｒｌに前記スリット２ｕ，２ｌを通して摺動又は転動可能なスライダ又は車輪よりなる上，下部移動体３ｕ，３ｌが設けられ、これにより、該可動シャッター要素Ｃｅ，Ｃｅが上，下部レールＲｕ，Ｒｌに沿って往復移動可能である。
【００２５】
また本実施例では、下部レールＲｌの上面がスリット２ｌを通して外部に開放されていて、概ねチャンネル状に形成されており、従って、例えばこの下部レールＲｌ内を下部移動体３ｌが移動しない状況下（例えば、縦型シャッタＣを収納ケース４内に折り畳み状態で格納したままの状況下）では、図２の鎖線枠内に例示したように該下部レールＲｌを必要に応じて窓用のフラワーボックスとして使用可能であり、そこに植物の鉢７やプランターを載置、保持することができて、利便性が高い。
【００２６】
次に第１実施例の作用を説明する。本実施例では、庇Ｈの下面及び張出部Ｆの上面にそれぞれ装着した上，下部レールＲｕ，Ｒｌに、建物の窓Ｏや庇Ｈ直下の空間部をその外側から覆う縦型シャッタＣ（即ち左右一対の可動シャッター要素Ｃｅ，Ｃｅ）の上端部及び下端部をそれぞれ摺動又は転動可能に支持させている。
【００２７】
従って、その可動シャッター要素Ｃｅ，Ｃｅを上，下部レールＲｕ，Ｒｌに沿って適宜移動させることで、該可動シャッター要素Ｃｅ，Ｃｅに陽射しの入光調整機能や目隠し機能を随時発揮させることが可能となって便利である。しかも庇Ｈには、その下面に上部レールＲｕを装着するだけで済み、庇Ｈ自体を大幅に改造する必要がないことから、既存の庇にも容易に且つ低コストで適用可能であって、汎用性が高い。
【００２８】
その上、本実施例では、縦型シャッタＣが上，下部レールＲｕ，Ｒｌにより両持ち支持構造となって、その支持を安定させることができる。
【００２９】
また図４には、本発明を玄関の庇に実施した第２実施例が示される。この第２実施例では、建物の外壁Ｗに、開口部としての玄関Ｏ′が設けられ、この玄関Ｏ′は、玄関扉１′により開閉可能である。その外壁Ｗには、玄関Ｏ′の上側で外側方に張出す横長の庇Ｈ′が一体的に突設されており、また玄関Ｏ′に臨む地面には、張出部としての玄関ポーチＰが設けられる。
【００３０】
この庇Ｈ′の下面には、第１実施例と同様、半円弧状に延びる上部レールＲｕ′がビス等の固着手段を以て着脱可能に装着され、またその庇Ｈ′の下面に対向して玄関ポーチＰには、上部レールＲｕ′に対応して半円弧状に延びる下部レールＲｌ′がビス等の固着手段を以て着脱可能に装着される。
【００３１】
そして、その上，下部レールＲｕ′，Ｒｌ′には、玄関Ｏ′や庇Ｈ′直下の空間部をその外側から覆う縦型シャッタＣ′（左右一対の可動シャッター要素Ｃｅ，Ｃｅ）の上端部及び下端部をそれぞれ摺動又は転動可能に支持させており、その支持構造やシャッター構造は、基本的に第１実施例と同様である。尚、この実施例の下部レールＲｌ′は、玄関ポーチＰに設けられるので、これをフラワーボックスとして使用することはない。
【００３２】
而して、この第２実施例においても、カバー部材としての縦型シャッタＣ′により、第１実施例の縦型シャッターＣと同様の作用効果が期待できる。
【００３３】
また図５には、本発明を商店の入口の庇に実施した第３実施例が示される。この実施例では、商店として使われる建物の外壁Ｗに、開口部としての商店入口Ｏ″が設けられ、この入口Ｏ″は、開閉扉１″により開閉可能である。その外壁Ｗには、入口Ｏ″の上側で外側方に張出す横長の庇Ｈ″が一体的に突設される。
【００３４】
この庇Ｈ″の下面には、互いに平行に且つ直線状に延びる複数の上部レールＲｕ″，Ｒｕａがビス等の固着手段を以て着脱可能に装着される。その一部の上部レールＲｕ″には、該レールＲｕ″より垂下する広告用の垂れ幕Ｃａ″及び看板Ｃｂ″の上端部が該レールＲｕ″に沿って摺動又は転動可能に支持される。その支持構造及び上部レールＲｕ″自体の構成は、第１実施例と基本的に同様である。
【００３５】
またその他の上部レールＲｕａには照明器具Ｌが着脱可能に取付けられ、その照明器具Ｌから延びる接続コードは、該レールＲｕａ内を通して外部に引き出される。この照明器具Ｌは、その上端部が上部レールＲｕａに沿って摺動可能に案内支持され、且つ該上部レールＲｕａの所望位置で該レールＲｕａに固定し得る固定手段６が設けられる。この固定手段６として図示例では、照明器具Ｌの、上部レールＲｕａに摺動可能に係合する上部移動体３ｕａに螺着されて内端で該レールＲｕａを押圧し得る蝶ネジが用いられる。尚、このような固定手段６を前記した垂れ幕Ｃａ″及び看板Ｃｂ″の上部移動体３ｕ″近傍に設けて、それら垂れ幕Ｃａ″及び看板Ｃｂ″の上端部を上部レールＲｕ″の任意の位置に随時固定するのに使用してもよい。
【００３６】
而して、この第３実施例においても、庇Ｈ″の下面に上部レールＲｕ″を装着して、この上部レールＲｕ″に、商店入口Ｏ″の少なくとも一部をその外側から覆うカバー部材としての垂れ看板Ｃａ″及び看板Ｃｂ″の上端部を支持させるので、その垂れ看板Ｃａ″及び看板Ｃｂ″を上部レールＲｕ″に沿って適宜移動させることで、該垂れ看板Ｃａ″及び看板Ｃｂ″に陽射し入光調整機能や目隠し機能を発揮させることが可能となって便利であり、またそれらの位置調整により、宣伝広告に最適の位置を選定することができる。しかも庇Ｈ″には、その下面に上部レールＲｕ″を装着するだけで済み、庇Ｈ″自体を大幅に改造する必要がないことから、既存の庇にも容易に且つ低コストで適用可能である。
【００３７】
また本実施例では、庇Ｈ″下面に装着した別の上部レールＲｕａに、商店の入口Ｏ″や垂れ看板Ｃａ″、看板Ｃｂ″を照らす照明器具Ｌが取付けられるので、その上部レールＲｕａに沿う適宜位置に該照明器具Ｌを容易に且つ位置調節可能に設置可能となる。
【００３８】
以上、本発明の実施例を詳述したが、本発明はその要旨を逸脱しない範囲で種々の設計変更を行うことが可能である。
【図面の簡単な説明】
【００３９】
【図１】本発明を窓の庇に実施した第１実施例を示す全体斜視図
【図２】第１実施例の要部縦断面図（図１の２−２線拡大断面図）
【図３】図２の３−３線断面図
【図４】本発明を玄関の庇に実施した第２実施例を示す全体斜視図
【図５】本発明を商店の入口の庇に実施した第３実施例を示す全体斜視図
【図６】図５の６−６線拡大断面図
【符号の説明】
【００４０】
Ｃ・・・・カバー部材としての窓用縦型シャッター
Ｃ′・・・カバー部材としての玄関用縦型シャッター
Ｃａ″・・カバー部材としての垂れ幕
Ｃｂ″・・カバー部材としての看板
Ｆ・・・・張出部
Ｈ，Ｈ′，Ｈ″・・庇
Ｏ・・・・開口部としての窓
Ｏ′・・・開口部としての玄関
Ｏ″・・・開口部としての入口
Ｐ・・・・張出部としての玄関ポーチ
Ｒｌ，Ｒｌ′・・下部レール
Ｒｕ，Ｒｕ′，Ｒｕ″，Ｒｕａ・・上部レール
４・・・・収納ケース
【図１】
2007113287.tif 000003
【図２】
2007113287.tif 000004
【図３】
2007113287.tif 000005
【図４】
2007113287.tif 000006
【図５】
2007113287.tif 000007
【図６】
2007113287.tif 000008